(57)【要約】      （修正有）【課題】プレーヤーの特徴や着衣の形状に応じて、ポケットの外側に、プレーに支障を与えない状態でゴルフクラブ用カバーを吊り下げることができるゴルフクラブ用カバーを提供する。【解決手段】ゴルフクラブ用カバー（１２）は、線材取付部（１３）をスライダー（１４）に備えたファスナー１５が設けられていることを特徴とする。該線材取付部（１３）に線材（２）が取り付けられ、該線材（２）の先端側に差入れ部（３）が設けられていてもよい。このゴルフクラブ用カバーによれば、差入れ部を備えた線材を線材取付部に取り付ける事により、差入れ部をポケットに差入れて着衣に付帯させることができる。そして、スライダーを移動させて線材のカバー本体における留付位置を変えることで、吊り下げ状態を調整することができる。【選択図】図１
0003120971.tif 000002
【実用新案登録請求の範囲】
【請求項１】
線材(2)の一端に差入れ部(3)を、他端に、ゴルフクラブ用カバー(10)への留め付けとその解除を自在に行える留付部(4)を設けたことを特徴とするゴルフクラブ用カバー(10)の吊下げ保持具(1)。
【請求項２】
該留付部(4)は、挟持クリップ(5)とピン(6)を併せ持っている請求項１に記載のゴルフクラブ用カバー(10)の吊下げ保持具(1)。
【請求項３】
一端に差入れ部(3)を備えた線材(2)が、他端に設けられた留付部(4)を介して着脱自在に留め付けられていることを特徴とするゴルフクラブ用カバー(11)。
【請求項４】
該留付部(4)は、挟持クリップ(5)とピン(6)を併せ持っている請求項３に記載のゴルフクラブ用カバー(11)。
【請求項５】
線材取付部(13)をスライダー(14)に備えたファスナー(15)が設けられていることを特徴とするゴルフクラブ用カバー(12)。
【請求項６】
該線材取付部(13)に線材(2)が取り付けられ、該線材(2)の先端側に差入れ部(3)が設けられている請求項５に記載のゴルフクラブ用カバー(12)。
【考案の詳細な説明】
【技術分野】
【０００１】
本考案は、ゴルフクラブのヘッドやシャフトを覆い保護するゴルフクラブ用カバーと、ゴルフクラブの使用時にゴルフクラブ用カバーを着衣に付着させて保持するための吊下げ保持具に関するものである。
【背景技術】
【０００２】
ゴルフクラブのヘッド部は、ボールに接触しボールの飛距離や飛ぶ角度に影響を与える重要な部位であることから、そこを保護するためのヘッドカバーが一般に広く使用されている。また、ゴルフクラブのシャフトも、ボールと接触することはないもののヘッドを支持する重要な部位であることから、このシャフトをヘッドと一体に保護するためのカバーも広く使用されている。
【０００３】
これらゴルフクラブ用カバーは、クラブ使用時には当然クラブから取り外されることになるが、ボールを打つ場所で取り外された場合、しばしばその位置に放置されることがあった。特に、キャディを伴わないセルフプレーにおいては、打撃後のボールや、順番待ちの他のプレーヤに気をとられ、ボールを打った場所に置き忘れ去られることが多かった。
【０００４】
外したカバーを着衣のポケットに入れることができれば、置き忘れることはないが、ゴルフクラブ用カバーには、ポケットに収まらない程の大きさのものも多い。そこで、クラブ使用時に、カバー本体を着衣のポケットに入れることなく、着衣に付帯させておくことで、ボールを打った場所に置き忘れることを防止する方法が考えられる。そして、実用新案登録第３１０７３４７号公報には、ヘッドカバーの開口部近傍に留め具を設け、その留め具にアクセサリーを取り付け、取り付けたアクセサリーをズボンのポケットに入れてプレーヤーの着衣に付帯させる方法が開示されている。
【特許文献１】実用新案登録第３１０７３４７号公報
【考案の開示】
【考案が解決しようとする課題】
【０００５】
しかしながら、上記留め具が設けられたヘッドカバーでは、アクセサリーを取り付ける位置が限定されていたため、ポケットの外側に吊り下げられる状態は常に同じとなっていた。一方、ゴルフプレーヤーのスウィングフォームはそれぞれに異なることから、特定の吊り下がり状態が、あるプレーヤーには支障を与えなくても、別のプレーヤーにとっては支障を与えるおそれがあった。また、着衣の形態も千差万別であるため、ポケットの位置や形状によって、特定の吊り下がり状態が邪魔となるおそれがあった。更に、ヘッドと共にシャフトも一体に保護するカバーは、ヘッドカバーよりも長くなるため、アクセサリーの取付位置を限定した場合に生じるこれらの問題が、ヘッドカバーよりも顕著になるおそれがあった。
【０００６】
そこで、本考案の目的は、プレーヤーの特徴や着衣の形状に応じて、ポケットの外側に、プレーに支障を与えない状態でゴルフクラブ用カバーを吊り下げることができるゴルフクラブ用カバーの吊り下げ保持具、及びプレーヤーの特徴や着衣の形状に応じて、ポケットの外側に、プレーに支障を与えない状態で吊り下げることができるゴルフクラブ用カバーを提供することにある。
【課題を解決するための手段】
【０００７】
本考案にかかる吊下げ保持具は、線材の一端に差入れ部を、他端に、ゴルフクラブ用カバーへの留め付けとその解除を自在に行える留付部を設けたことを特徴とする。
【０００８】
該留付部は、挟持クリップとピンを併せ持っていてもよい。
【０００９】
本考案にかかる第一のゴルフクラブ用カバーは、一端に差入れ部を備えた線材が、他端に設けられた留付部を介して着脱自在に留め付けられていることを特徴とする。
【００１０】
該第一のゴルフクラブ用カバーの該留付部は、挟持クリップとピンを併せ持っていてもよい。
【００１１】
本考案にかかる第二のゴルフクラブ用カバーは、線材取付部をスライダーに備えたファスナーが設けられていることを特徴とする。
【００１２】
該第二のゴルフクラブ用カバーは、該線材取付部に線材が取り付けられ、該線材の先端側に差入れ部が設けられたものであってもよい。
【考案の効果】
【００１３】
本考案にかかる吊下げ保持具によれば、留付部を介してゴルフクラブ用カバーに留め付けた後、差入れ部を着衣のポケットに差し入れることにより、ゴルフクラブ用カバーをポケットの外側に吊り下げた状態で着衣に付帯させることができる。また、留付部は、ゴルフクラブ用カバーへの留め付けとその解除を自在に行えるものであるため、ある位置に留め付けた後その留付状態を解除し、ゴルフクラブ用カバーの別の位置に留め付け直すことで、留付位置を任意に選ぶことができる。そして、線材の留付位置を変えることによって吊り下げ状態を調整することができる。そのため、プレーヤーの特徴や着衣の形状に応じて、ポケットの外側に、プレーに支障を与えない状態でゴルフクラブ用カバーを吊り下げることができる。
【００１４】
留付部が、挟持クリップとピンを併せ持っていれば、様々な材質や形状のゴルフクラブ用カバーに適用できる。例えば、剛性の高い材質のものであればピンを刺して留め付けることができ、柔軟性のある材質や突起を備えた形状のものであれば、挟持クリップで挟みこみ留め付けることができる。また、どちらか一方ではその留付力が十分でない場合は、両方使用して留め付けることもできる。更に、全体的に細長い形状のものであれば、折り畳んだ状態とし挟持クリップで束ねるように留め付けることができる。
【００１５】
本考案にかかる第一のゴルフクラブ用カバーは、本考案にかかる吊下げ保持具を着脱自在に留め付けたもので、上述の通り、差入れ部を着衣のポケットに差し入れ、カバー本体をポケットの外側に吊り下げることで着衣に付帯させることができる。また、ある位置における留め付け状態を解除し、カバー本体の別の位置に留め付け直すことで、留付位置を任意に選び、線材の留付位置を変えることによって吊り下げ状態を調整することができる。そのため、プレーヤーの特徴や着衣の形状に応じて、ポケットの外側に、プレーに支障を与えない状態で吊り下げることができる。
【００１６】
本発明にかかる第二のゴルフクラブ用カバーによれば、差入れ部を備えた線材を線材取付部に取り付けることにより、第一のゴルフクラブ用カバーと同様、差入れ部をポケットに差し入れて着衣に付帯させることができる。また、スライダーを移動させて線材のカバー本体における留付位置を変えることで、吊り下げ状態を調整することができる。そのため、プレーヤーの特徴や着衣の形状に応じて、ポケットの外側に、プレーに支障を与えない状態で吊り下げることができる。
【００１７】
なお、第二のゴルフクラブ用カバーにおける線材の留付位置は、スライダーの可動範囲に限定されるため、第一のゴルフクラブ用カバーと比較すると、その位置の選択範囲は狭いものとなる。しかしながら、カバー本体にピンを通し或いはカバー本体を挟持クリップで挟む場合と比較し、線材取付部を介してカバー本体を傷めることなく線材を取り付けることができる利点がある。
【考案を実施するための最良の形態】
【００１８】
図１は、本考案にかかる吊下げ保持具、及び本考案にかかる第一のゴルフクラブ用カバーの具体例を示す斜視図である。
【００１９】
吊下げ保持具１は、線材２、差入れ部３及び留付部４とで構成されている。差入れ部３は一辺が２．５ｃｍの金属製プレートで、線材２の端部に取り付けられている。留付部４は、ゴルフクラブ用カバー１０への留め付けとその解除を自在に行えるもので、線材２の、差入れ部３が取り付けられた反対側の端部に取り付けられている。そして、吊下げ保持具１は、留付部４を介して、ゴルフクラブ用カバー１０に着脱自在に留め付けられており、吊下げ保持具１とゴルフクラブ用カバー１０とが、本考案にかかる第一のゴルフクラブ用カバー１１を構成している。
【００２０】
この吊下げ保持具１、或いは第一のゴルフクラブ用カバー１１によれば、留付部４を介してゴルフクラブ用カバー１０に留め付けた後、差入れ部３を着衣のポケットに差し入れ、ゴルフクラブ用カバー１０をポケットの外側に吊り下げた状態で着衣に付帯させることができる。また、留付部４は、ゴルフクラブ用カバー１０への留め付けとその解除を自在に行えるものであるため、ある位置に留め付けた後その留付状態を解除し、ゴルフクラブ用カバー１０の別の位置に留め付け直すことで、留付位置を任意に選ぶことができる。そして、線材２の留付位置を変えることによって吊り下げ状態を調整することができる。そのため、プレーヤーの特徴や着衣の形状に応じて、ポケットの外側に、プレーに支障を与えない状態でゴルフクラブ用カバー１０を吊り下げることができる。
【００２１】
留付部４は、挟持クリップ５とピン６を併せ持っている。
こうすると、様々な材質や形状のゴルフクラブ用カバーに適用できる。なお、この具体例では、挟持クリップ５とピン６を両方使用して留め付けているが、こうすると、どちらか一方ではその留付力が十分でない場合でも、十分な留付力を得ることができる。
【００２２】
ピン６として、安全ピンが採用されている。なお、ピン６の形状に制限はなく、挟持クリップ５を併設できるものであればよい。ただし、安全ピンであれば、ピンの尖端で怪我をするおそれが低く、また挟持クリップ５を簡単に併設できるため、好ましい。
【００２３】
図２は、本考案にかかる第二のゴルフクラブ用カバーの具体例を示す斜視図である。なお、図２において、図１と実質的に同じ部分には、同符号を付すものとする。
【００２４】
ゴルフクラブ用カバー１２には、線材取付部１３をスライダー１４に備えたファスナー１５が設けられている。線材取付部１３は、軸部１３ｂを支点とし互いに接離する方向に相対移動する二つの部材１３ｃ、１３ｄで構成された環状部１３ａを備え、この環状部１３ａに線材２の一端が取り付けられている。更に、線材２の先端側には、差入れ部３が設けられている。
【００２５】
ゴルフクラブ用カバー１２によれば、差入れ部３を備えた線材２を線材取付部１３に取り付けることにより、差入れ部３をポケットに差し入れて着衣に付帯させることができる。また、スライダー１４を移動させて線材２のカバー本体における留付位置を変えることで、吊り下げ状態を調整することができる。そのため、プレーヤーの特徴や着衣の形状に応じて、ポケットの外側に、プレーに支障を与えない状態で吊り下げることができる。
【００２６】
環状部１３ａを構成する部材１３ｂ、１３ｃは環状部１３ａを閉止する傾向に付勢されており、一方の部材１３ｂに突設されたレバー１３ｅに指をかけ力を加えることで、容易に開放できる構造となっている。ただし、線材取付部１３の構造に制限はなく、線材２を頻繁に着脱する必要がなければ、切れ目を有する金属環を採用した簡単な構造としてもよい。
【００２７】
ファスナー１５は、小物を収納する空間の開閉部を兼ねたものとなっている。
こうすると、ファスナー１５の有効活用を図ることができる。例えば、ゴルフクラブ用カバー１２がドライバーのヘッドを保護するものである場合、小物収納用空間にティーを入れておくことができる。ディーショットの際、ゴルフクラブ用カバー１２をクラブから外して着衣に付帯させるためにスライダー１４を移動させ吊り下げ状態を調整すると、スライダー１４の位置によっては小物収納用空間が開放されることになるが、このときにティーは、小物収納用空間から取り出されて使用されているため、その開放に何ら支障はないからである。
このように、ゴルフクラブ用カバー１２がゴルフクラブに装着された状態では、ファスナー１５が吊り下げ状態調整用として使用されることがない点を利用すれば、小物収納用空間の開閉用としてその有効活用を図ることができる。
【００２８】
差入れ部３は、着衣のポケットに差し入れ、その差し入れられた状態を維持できるものであれば、その形状に制限はない。例えば、一辺を長くして表面積を大きくすることも可能である。こうすると、その表面を、情報表示部として利用することができる。なお、情報表示部として利用する場合は、所有者の氏名、会員番号等を表記してもよく、或いはその表面にクリヤーポケットを設けて写真を入れる等してもよい。
【００２９】
線材２として鎖が採用されているが、全体のデザインなどを考慮して、紐、ベルト等としてもよい。また、その材質は、ゴルフクラブ用カバー１０、１２を吊り下げることができる強度を有していれば制限はなく、金属の他、天然繊維、合成繊維、皮などとしてもよい。
【図面の簡単な説明】
【００３０】
【図１】本考案にかかる吊下げ保持具、及び本考案にかかる第一のゴルフクラブ用カバーの具体例を示す斜視図である。
【図２】本考案にかかる第二のゴルフクラブ用カバーの具体例を示す斜視図である。
【符号の説明】
【００３１】
１    吊下げ保持具
２    線材
３    差入れ部
４    留付部
５    挟持クリップ
６    ピン
１０  ゴルフクラブ用カバー
１１  第一のゴルフクラブ用カバー
１２  第二のゴルフクラブ用カバー
１３  線材取付部
１４  スライダー
１５  ファスナー
【図１】
0003120971.tif 000003
【図２】
0003120971.tif 000004
【手続補正書】
【提出日】平成18年1月5日(2006.1.5)
【手続補正１】
【補正対象書類名】実用新案登録請求の範囲
【補正対象項目名】全文
【補正方法】変更
【補正の内容】
【実用新案登録請求の範囲】
【請求項１】
線材取付部(13)をスライダー(14)に備えたファスナー(15)が設けられていることを特徴とするゴルフクラブ用カバー(12)。
【請求項２】
該線材取付部(13)に線材(2)が取り付けられ、該線材(2)の先端側に差入れ部(3)が設けられている請求項１に記載のゴルフクラブ用カバー(12)。
【手続補正２】
【補正対象書類名】明細書
【補正対象項目名】全文
【補正方法】変更
【補正の内容】
【考案の詳細な説明】
【技術分野】
【０００１】  本考案は、ゴルフクラブのヘッドやシャフトを覆い保護するゴルフクラブ用カバーに関するものである。
【背景技術】
【０００２】  ゴルフクラブのヘッド部は、ボールに接触しボールの飛距離や飛ぶ角度に影響を与える重要な部位であることから、そこを保護するためのヘッドカバーが一般に広く使用されている。また、ゴルフクラブのシャフトも、ボールと接触することはないもののヘッドを支持する重要な部位であることから、このシャフトをヘッドと一体に保護するためのカバーも広く使用されている。【０００３】  これらゴルフクラブ用カバーは、クラブ使用時には当然クラブから取り外されることになるが、ボールを打つ場所で取り外された場合、しばしばその位置に放置されることがあった。特に、キャディを伴わないセルフプレーにおいては、打撃後のボールや、順番待ちの他のプレーヤに気をとられ、ボールを打った場所に置き忘れ去られることが多かった。【０００４】  外したカバーを着衣のポケットに入れることができれば、置き忘れることはないが、ゴルフクラブ用カバーには、ポケットに収まらない程の大きさのものも多い。そこで、クラブ使用時に、カバー本体を着衣のポケットに入れることなく、着衣に付帯させておくことで、ボールを打った場所に置き忘れることを防止する方法が考えられる。そして、実用新案登録第３１０７３４７号公報には、ヘッドカバーの開口部近傍に留め具を設け、その留め具にアクセサリーを取り付け、取り付けたアクセサリーをズボンのポケットに入れてプレーヤーの着衣に付帯させる方法が開示されている。【特許文献１】実用新案登録第３１０７３４７号公報
【考案の開示】
【考案が解決しようとする課題】
【０００５】  しかしながら、上記留め具が設けられたヘッドカバーでは、アクセサリーを取り付ける位置が限定されていたため、ポケットの外側に吊り下げられる状態は常に同じとなっていた。一方、ゴルフプレーヤーのスウィングフォームはそれぞれに異なることから、特定の吊り下がり状態が、あるプレーヤーには支障を与えなくても、別のプレーヤーにとっては支障を与えるおそれがあった。また、着衣の形態も千差万別であるため、ポケットの位置や形状によって、特定の吊り下がり状態が邪魔となるおそれがあった。更に、ヘッドと共にシャフトも一体に保護するカバーは、ヘッドカバーよりも長くなるため、アクセサリーの取付位置を限定した場合に生じるこれらの問題が、ヘッドカバーよりも顕著になるおそれがあった。【０００６】  そこで、本考案の目的は、プレーヤーの特徴や着衣の形状に応じて、ポケットの外側に、プレーに支障を与えない状態でゴルフクラブ用カバーを吊り下げることができるゴルフクラブ用カバーを提供することにある。
【課題を解決するための手段】
【０００７】  本考案にかかるゴルフクラブ用カバーは、線材取付部をスライダーに備えたファスナーが設けられていることを特徴とする。【０００８】  該線材取付部に線材が取り付けられ、該線材の先端側に差入れ部が設けられたものであってもよい。
【考案の効果】
【０００９】  本発明にかかるゴルフクラブ用カバーによれば、差入れ部を備えた線材を線材取付部に取り付けることにより、差入れ部をポケットに差し入れて着衣に付帯させることができる。また、スライダーを移動させて線材のカバー本体における留付位置を変えることで、吊り下げ状態を調整することができる。そのため、プレーヤーの特徴や着衣の形状に応じて、ポケットの外側に、プレーに支障を与えない状態で吊り下げることができる。【００１０】  なお、線材の留付位置は、スライダーの可動範囲に限定されることにはなるものの、カバー本体を傷めることなく線材を取り付けることができる利点がある。
【考案を実施するための最良の形態】
【００１１】  図１は、本考案にかかるゴルフクラブ用カバーの具体例を示す斜視図である。【００１２】  ゴルフクラブ用カバー１２には、線材取付部１３をスライダー１４に備えたファスナー１５が設けられている。線材取付部１３は、軸部１３ｂを支点とし互いに接離する方向に相対移動する二つの部材１３ｃ、１３ｄで構成された環状部１３ａを備え、この環状部１３ａに線材２の一端が取り付けられている。更に、線材２の先端側には、差入れ部３が設けられている。【００１３】  ゴルフクラブ用カバー１２によれば、差入れ部３を備えた線材２を線材取付部１３に取り付けることにより、差入れ部３をポケットに差し入れて着衣に付帯させることができる。また、スライダー１４を移動させて線材２のカバー本体における留付位置を変えることで、吊り下げ状態を調整することができる。そのため、プレーヤーの特徴や着衣の形状に応じて、ポケットの外側に、プレーに支障を与えない状態で吊り下げることができる。【００１４】  環状部１３ａを構成する部材１３ｂ、１３ｃは環状部１３ａを閉止する傾向に付勢されており、一方の部材１３ｂに突設されたレバー１３ｅに指をかけ力を加えることで、容易に開放できる構造となっている。ただし、線材取付部１３の構造に制限はなく、線材２を頻繁に着脱する必要がなければ、切れ目を有する金属環を採用した簡単な構造としてもよい。【００１５】  ファスナー１５は、小物を収納する空間の開閉部を兼ねたものとなっている。  こうすると、ファスナー１５の有効活用を図ることができる。例えば、ゴルフクラブ用カバー１２がドライバーのヘッドを保護するものである場合、小物収納用空間にティーを入れておくことができる。ティーショットの際、ゴルフクラブ用カバー１２をクラブから外して着衣に付帯させるためにスライダー１４を移動させ吊り下げ状態を調整すると、スライダー１４の位置によっては小物収納用空間が開放されることになるが、このときにティーは、小物収納用空間から取り出されて使用されているため、その開放に何ら支障はないからである。  このように、ゴルフクラブ用カバー１２がゴルフクラブに装着された状態では、ファスナー１５が吊り下げ状態調整用として使用されることがない点を利用すれば、小物収納用空間の開閉用としてその有効活用を図ることができる。【００１６】  差入れ部３は、着衣のポケットに差し入れ、その差し入れられた状態を維持できるものであれば、その形状に制限はない。例えば、一辺を長くして表面積を大きくすることも可能である。こうすると、その表面を、情報表示部として利用することができる。なお、情報表示部として利用する場合は、所有者の氏名、会員番号等を表記してもよく、或いはその表面にクリヤーポケットを設けて写真を入れる等してもよい。【００１７】  線材２として鎖が採用されているが、全体のデザインなどを考慮して、紐、ベルト等としてもよい。また、その材質は、ゴルフクラブ用カバー１０、１２を吊り下げることができる強度を有していれば制限はなく、金属の他、天然繊維、合成繊維、皮などとしてもよい。【００１８】  なお、ゴルフクラブ用カバー１２における線材の留付位置は、スライダーの可動範囲に限定される。そのため、ゴルフクラブ���カバーに対し着脱自在の留付部が設けられた線材を利用したゴルフクラブ用カバー、すなわち後述の型式のものと比較すると、その位置の選択範囲は狭いものとなる。しかしながら、カバー本体にピンを通し或いはカバー本体を挟持クリップで挟む場合と比較し、線材取付部を介してカバー本体を傷めることなく線材を取り付けることができる利点がある。【００１９】  図２は、ゴルフクラブ用カバーに対し着脱自在の留付部が設けられた線材の利用例を示す斜視図である。なお、図２において、図１と実質的に同じ部分には、同符号を付すものとする。【００２０】  吊下げ保持具１は、線材２、差入れ部３及び留付部４とで構成されている。差入れ部３は一辺が２．５ｃｍの金属製プレートで、線材２の端部に取り付けられている。留付部４は、ゴルフクラブ用カバー１０への留め付けとその解除を自在に行えるもので、線材２の、差入れ部３が取り付けられた反対側の端部に取り付けられている。そして、吊下げ保持具１は、留付部４を介して、ゴルフクラブ用カバー１０に着脱自在に留め付けられている。【００２１】  留付部４は、挟持クリップ５とピン６を併せ持っている。【００２２】  ピン６として、安全ピンが採用されている。なお、ピン６の形状に制限はなく、挟持クリップ５を併設できるものであればよい。ただし、安全ピンであれば、ピンの尖端で怪我をするおそれが低く、また挟持クリップ５を簡単に併設できるという利点がある。
【図面の簡単な説明】
【００２３】
【図１】本考案にかかるゴルフクラブ用カバーの具体例を示す斜視図である。
【図２】ゴルフクラブ用カバーに対し着脱自在の留付部が設けられた線材の利用例を示す斜視図である。
【符号の説明】
【００２４】１    吊下げ保持具２    線材３    差入れ部４    留付部５    挟持クリップ６    ピン１０、１２  ゴルフクラブ用カバー１３  線材取付部１４  スライダー１５  ファスナー
【手続補正３】
【補正対象書類名】図面
【補正対象項目名】図１
【補正方法】変更
【補正の内容】
【図１】
0003120971.tif 000005
【手続補正４】
【補正対象書類名】図面
【補正対象項目名】図２
【補正方法】変更
【補正の内容】
【図２】
0003120971.tif 000006